(57)【特許請求の範囲】
【請求項１】
蓄電装置に蓄積されている電気エネルギーの量である第１の蓄電量を含む電力量情報と、前記蓄電装置に充電された電気エネルギーである充電電気の購入金額である決済金額を含む決済情報とを受信する通信部と、
前記蓄電装置に前記充電電気が蓄積される前に前記蓄電装置に蓄積されていた電気エネルギーの量である第２の蓄電量に対応する金額を記憶する記憶部と、
前記第１の蓄電量、前記決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気が前記蓄電装置に蓄積された蓄積日と前記充電電気が購入された店舗の位置を示す位置情報とを含み、
前記決済情報は、前記充電電気が購入された購入日と前記充電電気が購入された店舗である第１の店舗の名称を含み、
前記制御部は、前記第１の金額を算出する場合、前記蓄積日と前記購入日が一致することを検出し、地図情報と前記位置情報とに基づいて、前記充電電気を販売した店舗の名称である第２の店舗名を検出し、前記第２の店舗名と前記第１の店舗の名称が一致するか否かを判定し、前記第２の店舗名と前記第１の店舗の名称とが一致する場合、前記第１の店舗で支払われた前記購入金額である前記決済金額、前記第２の蓄電量に対応する金額、及び前記第１の蓄電量に基づいて、前記第１の金額を算出する、
携帯装置。
【請求項２】
蓄電装置に蓄積されている電気エネルギーの量である第１の蓄電量を含む電力量情報と、決済情報とを受信する通信部と、
前記蓄電装置に充電された電気エネルギーである充電電気が前記蓄電装置に蓄積される前に前記蓄電装置に蓄積されていた電気エネルギーの量である第２の蓄電量に対応する金額を記憶する記憶部と、
前記第１の蓄電量、前記充電電気の購入金額である決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気の量である充電量と前記充電電気が前記蓄電装置に充電された時間を示す時間情報とを含み、
前記制御部は、前記通信部が受信した前記決済情報に、前記充電電気が購入された購入日又は前記充電電気が購入された店舗である第１の店舗の名称が含まれていない場合、前記時間情報に基づいて、前記充電電気が購入されたときの電気単価をネットワークから検出し、前記電気単価と前記充電量に基づいて前記決済金額を算出する、
携帯装置。
【請求項３】
蓄電装置に蓄積されている電気エネルギーの量である第１の蓄電量を含む電力量情報と、前記蓄電装置に充電された電気エネルギーである充電電気の購入金額である決済金額を含む決済情報とを受信する通信部と、
前記蓄電装置に前記充電電気が蓄積される前に前記蓄電装置に蓄積されていた電気エネルギーの量である第２の蓄電量に対応する金額を記憶する記憶部と、
前記第１の蓄電量、前記決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気が購入された店舗の位置を示す位置情報を含み、
前記制御部は、前記第１の金額を算出する際、地図情報と前記位置情報とに基づいて、前記充電電気を販売した店舗である第３の店舗を検出し、前記第３の店舗が定額制のサービスを受けられる契約をしている店舗である場合、前記決済金額にゼロを設定する、
携帯装置。
【請求項４】
前記制御部は、前記第２の蓄電量に対応する金額と前記決済金額との合計金額、前記蓄電装置に蓄積されている電気エネルギーが消費された量である消費量、及び前記第１の金額に基づいて、前記蓄電装置に蓄積されている電気エネルギーが消費された後の前記蓄電装置に蓄積されている電気エネルギーの量に対応する金額である第２の金額を算出する、
請求項１から３のいずれか１項に記載の携帯装置。
【請求項５】
前記出力部は、前記第２の金額を出力する、
請求項４に記載の携帯装置。
【請求項６】
前記蓄電装置は、電気自動車が有する蓄電装置である、
請求項１から３のいずれか１項に記載の携帯装置。
【請求項７】
前記蓄電装置は、家庭に供給する電気エネルギーが蓄積されている装置である、
請求項１から３のいずれか１項に記載の携帯装置。
【請求項８】
蓄電装置に蓄積されている電気エネルギーの量である第１の蓄電量を含む電力量情報と、前記蓄電装置に充電された電気エネルギーである充電電気の購入金額である決済金額を含む決済情報とを受信する通信部と、
前記蓄電装置に前記充電電気が蓄積される前に前記蓄電装置に蓄積されていた電気エネルギーの量である第２の蓄電量に対応する金額を記憶する記憶部と、
前記第１の蓄電量、前記決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気が前記蓄電装置に蓄積された蓄積日と前記充電電気が購入された店舗の位置を示す位置情報とを含み、
前記決済情報は、前記充電電気が購入された購入日と前記充電電気が購入された店舗である第１の店舗の名称を含み、
前記制御部は、前記第１の金額を算出する場合、前記蓄積日と前記購入日が一致することを検出し、地図情報と前記位置情報とに基づいて、前記充電電気を販売した店舗の名称である第２の店舗名を検出し、前記第２の店舗名と前記第１の店舗の名称が一致するか否かを判定し、前記第２の店舗名と前記第１の店舗の名称とが一致する場合、前記第１の店舗で支払われた前記購入金額である前記決済金額、前記第２の蓄電量に対応する金額、及び前記第１の蓄電量に基づいて、前記第１の金額を算出する、
車載装置。
【請求項９】
蓄電装置に蓄積されている電気エネルギーの量である第１の蓄電量を含む電力量情報と、決済情報とを受信する通信部と、
前記蓄電装置に充電された電気エネルギーである充電電気が前記蓄電装置に蓄積される前に前記蓄電装置に蓄積されていた電気エネルギーの量である第２の蓄電量に対応する金額を記憶する記憶部と、
前記第１の蓄電量、前記充電電気の購入金額である決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気の量である充電量と前記充電電気が前記蓄電装置に充電された時間を示す時間情報とを含み、
前記制御部は、前記通信部が受信した前記決済情報に、前記充電電気が購入された購入日又は前記充電電気が購入された店舗である第１の店舗の名称が含まれていない場合、前記時間情報に基づいて、前記充電電気が購入されたときの電気単価をネットワークから検出し、前記電気単価と前記充電量に基づいて前記決済金額を算出する、
車載装置。
【請求項１０】
蓄電装置に蓄積されている電気エネルギーの量である第１の蓄電量を含む電力量情報と、前記蓄電装置に充電された電気エネルギーである充電電気の購入金額である決済金額を含む決済情報とを受信する通信部と、
前記蓄電装置に前記充電電気が蓄積される前に前記蓄電装置に蓄積されていた電気エネルギーの量である第２の蓄電量に対応する金額を記憶する記憶部と、
前記第１の蓄電量、前記決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、
を有し、
前記電力量情報は、前記充電電気が購入された店舗の位置を示す位置情報を含み、
前記制御部は、前記第１の金額を算出する際、地図情報と前記位置情報とに基づいて、前記充電電気を販売した店舗である第３の店舗を検出し、前記第３の店舗が定額制のサービスを受けられる契約をしている店舗である場合、前記決済金額にゼロを設定する、
車載装置。
【請求項１１】
携帯装置が、
蓄電装置に蓄積されている電気エネルギーの量である第１の蓄電量を含む電力量情報と、前記蓄電装置に充電された電気エネルギーである充電電気の購入金額である決済金額を含む決済情報とを受信し、
前記第１の蓄電量、前記決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力し、
前記電力量情報は、前記充電電気が前記蓄電装置に蓄積された蓄積日と前記充電電気が購入された店舗の位置を示す位置情報とを含み、
前記決済情報は、前記充電電気が購入された購入日と前記充電電気が購入された店舗である第１の店舗の名称を含み、
前記第１の金額を算出する場合、前記蓄積日と前記購入日が一致することを検出し、地図情報と前記位置情報とに基づいて、前記充電電気を販売した店舗の名称である第２の店舗名を検出し、前記第２の店舗名と前記第１の店舗の名称が一致するか否かを判定し、前記第２の店舗名と前記第１の店舗の名称とが一致する場合、前記第１の店舗で支払われた前記購入金額である前記決済金額、前記第２の蓄電量に対応する金額、及び前記第１の蓄電量に基づいて、前記第１の金額を算出する、
制御方法。
【請求項１２】
携帯装置が、
蓄電装置に蓄積されている電気エネルギーの量である第１の蓄電量を含む電力量情報と、決済情報とを受信し、
前記第１の蓄電量、前記蓄電装置に充電された電気エネルギーである充電電気の購入金額である決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力し、
前記電力量情報は、前記充電電気の量である充電量と前記充電電気が前記蓄電装置に充電された時間を示す時間情報とを含み、
前記決済情報に、前記充電電気が購入された購入日又は前記充電電気が購入された店舗である第１の店舗の名称が含まれていない場合、前記時間情報に基づいて、前記充電電気が購入されたときの電気単価をネットワークから検出し、前記電気単価と前記充電量に基づいて前記決済金額を算出する、
制御方法。
【請求項１３】
携帯装置が、
蓄電装置に蓄積されている電気エネルギーの量である第１の蓄電量を含む電力量情報と、前記蓄電装置に充電された電気エネルギーである充電電気の購入金額である決済金額を含む決済情報とを受信し、
前記第１の蓄電量、前記決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力し、
前記電力量情報は、前記充電電気が購入された店舗の位置を示す位置情報を含み、
前記第１の金額を算出する際、地図情報と前記位置情報とに基づいて、前記充電電気を販売した店舗である第３の店舗を検出し、前記第３の店舗が定額制のサービスを受けられる契約をしている店舗である場合、前記決済金額にゼロを設定する、
制御方法。
【請求項１４】
携帯装置に、
蓄電装置に蓄積されている電気エネルギーの量である第１の蓄電量を含む電力量情報と、前記蓄電装置に充電された電気エネルギーである充電電気の購入金額である決済金額を含む決済情報とを受信し、
前記第１の蓄電量、前記決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力する、
処理を実行させる制御プログラムであり、
前記電力量情報は、前記充電電気が前記蓄電装置に蓄積された蓄積日と前記充電電気が購入された店舗の位置を示す位置情報とを含み、
前記決済情報は、前記充電電気が購入された購入日と前記充電電気が購入された店舗である第１の店舗の名称を含み、
前記第１の金額を算出する場合、前記蓄積日と前記購入日が一致することを検出し、地図情報と前記位置情報とに基づいて、前記充電電気を販売した店舗の名称である第２の店舗名を検出し、前記第２の店舗名と前記第１の店舗の名称が一致するか否かを判定し、前記第２の店舗名と前記第１の店舗の名称とが一致する場合、前記第１の店舗で支払われた前記購入金額である前記決済金額、前記第２の蓄電量に対応する金額、及び前記第１の蓄電量に基づいて、前記第１の金額を算出する、
制御プログラム。
【請求項１５】
携帯装置に、
蓄電装置に蓄積されている電気エネルギーの量である第１の蓄電量を含む電力量情報と、決済情報とを受信し、
前記第１の蓄電量、前記蓄電装置に充電された電気エネルギーである充電電気の購入金額である決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力する、
処理を実行させる制御プログラムであり、
前記電力量情報は、前記充電電気の量である充電量と前記充電電気が前記蓄電装置に充電された時間を示す時間情報とを含み、
前記決済情報に、前記充電電気が購入された購入日又は前記充電電気が購入された店舗である第１の店舗の名称が含まれていない場合、前記時間情報に基づいて、前記充電電気が購入されたときの電気単価をネットワークから検出し、前記電気単価と前記充電量に基づいて前記決済金額を算出する、
制御プログラム。
【請求項１６】
携帯装置に、
蓄電装置に蓄積されている電気エネルギーの量である第１の蓄電量を含む電力量情報と、前記蓄電装置に充電された電気エネルギーである充電電気の購入金額である決済金額を含む決済情報とを受信し、
前記第１の蓄電量、前記決済金額、及び前記蓄電装置に前記充電電気が蓄積される前に前記蓄電装置に蓄積されていた電気エネルギーの量である第２の蓄電量に対応する金額に基づいて、前記蓄電装置に前記充電電気を蓄積した後における前記蓄電装置に蓄電されている電気エネルギーの予め定められた電力量当たりの金額である第１の金額を算出し、
前記第１の金額を出力する、
処理を実行させる制御プログラムであり、
前記電力量情報は、前記充電電気が購入された店舗の位置を示す位置情報を含み、
前記第１の金額を算出する際、地図情報と前記位置情報とに基づいて、前記充電電気を販売した店舗である第３の店舗を検出し、前記第３の店舗が定額制のサービスを受けられる契約をしている店舗である場合、前記決済金額にゼロを設定する、
制御プログラム。
【発明の詳細な説明】
【技術分野】
【０００１】
本発明は、携帯装置、車載装置、制御方法、及び制御プログラムに関する。
【背景技術】
【０００２】
電気自動車が知られている。電気自動車は、蓄電装置を有する。電気自動車は、蓄電装置に電気エネルギーを補充するために、給電設備に行く。ここで、燃料の購入金額をユーザに入力させる画面を表示する車両用装置が提案されている（特許文献１を参照）。
【先行技術文献】
【特許文献】
【０００３】
【特許文献１】特開２０１３−２３７４２４号公報
【発明の概要】
【発明が解決しようとする課題】
【０００４】
ところで、ユーザは、蓄電装置に蓄えられている電気エネルギーの価値を知りたい場合がある。しかし、蓄電装置に蓄えられている電気エネルギーの価値をどのように算出すればよいのか分からなかった。【０００５】
本発明の目的は、蓄電装置に蓄積されている電気エネルギーの価値を算出することである。
【課題を解決するための手段】
【０００６】
本発明の一態様に係る携帯装置が提供される。携帯装置は、蓄電装置に蓄積されている電気エネルギーの量である第１の蓄電量を含む電力量情報と、前記蓄電装置に充電された電気エネルギーである充電電気の購入金額である決済金額を含む決済情報とを受信する通信部と、前記蓄電装置に前記充電電気が蓄積される前に前記蓄電装置に蓄積されていた電気エネルギーの量である第２の蓄電量に対応する金額を記憶する記憶部と、前記第１の蓄電量、前記決済金額、及び前記第２の蓄電量に対応する金額に基づいて、前記蓄電装置に前記充電電気を蓄積した後における前記蓄電装置に蓄電されている電気エネルギーの予め定められた電力量当たりの金額である第１の金額を算出する制御部と、
前記第１の金額を出力する出力部と、を有する。前記電力量情報は、前記充電電気が前記蓄電装置に蓄積された蓄積日と前記充電電気が購入された店舗の位置を示す位置情報とを含む。前記決済情報は、前記充電電気が購入された購入日と前記充電電気が購入された店舗である第１の店舗の名称を含む。前記制御部は、前記第１の金額を算出する場合、前記蓄積日と前記購入日が一致することを検出し、地図情報と前記位置情報とに基づいて、前記充電電気を販売した店舗の名称である第２の店舗名を検出し、前記第２の店舗名と前記第１の店舗の名称が一致するか否かを判定し、前記第２の店舗名と前記第１の店舗の名称とが一致する場合、前記第１の店舗で支払われた前記購入金額である前記決済金額、前記第２の蓄電量に対応する金額、及び前記第１の蓄電量に基づいて、前記第１の金額を算出する。
【発明の効果】
【０００７】
本発明によれば、蓄電装置に蓄積されている電気エネルギーの価値を算出できる。
【図面の簡単な説明】
【０００８】
【図１】実施の形態１の通信システムを示す図である。
【図２】実施の形態１の携帯装置が有するハードウェアの構成を示す図である。
【図３】実施の形態１の携帯装置及び車載装置の構成を示す機能ブロック図である。
【図４】実施の形態１の認証処理を示すシーケンス図である。
【図５】実施の形態１の蓄電量の監視処理を示すフローチャートである。
【図６】実施の形態１の平均簿価の算出処理を示すフローチャート（その１）である。
【図７】実施の形態１の平均簿価の算出処理を示すフローチャート（その２）である。
【図８】実施の形態１の合計簿価の算出処理を示すシーケンス図である。
【図９】図９（Ａ），（Ｂ）は、実施の形態１の表示内容の具体例を示す図である。
【図１０】実施の形態１の変形例の平均簿価の算出処理を示すフローチャートである。
【図１１】実施の形態１の変形例の平均簿価の算出処理を示すフローチャート（その１）である。
【図１２】実施の形態１の変形例の平均簿価の算出処理を示すフローチャート（その２）である。
【図１３】実施の形態２の通信システムを示す図である。
【図１４】実施の形態２の平均簿価の算出処理を示すフローチャートである。
【図１５】実施の形態３の通信システムを示す図である。
【図１６】実施の形態３の車載装置の構成を示す機能ブロック図である。
【図１７】実施の形態３の平均簿価の算出処理を示すフローチャート（その１）である。
【図１８】実施の形態３の平均簿価の算出処理を示すフローチャート（その２）である。
【図１９】実施の形態３の合計簿価の算出処理を示すフローチャートである。
【図２０】実施の形態３の表示内容の具体例を示す図である。
【図２１】実施の形態４の通信システムを示す図である。
【図２２】実施の形態４の平均簿価の算出処理を示すフローチャートである。
【図２３】実施の形態５の通信システムを示す図である。
【図２４】実施の形態５の制御装置の構成を示す機能ブロック図である。
【図２５】実施の形態５の蓄電量の監視処理を示すフローチャートである。
【図２６】実施の形態５の平均簿価の算出処理を示すフローチャートである。
【図２７】実施の形態５の合計簿価の算出処理を示すフローチャートである。
【発明を実施するための形態】
【０００９】
以下、図面を参照しながら実施の形態を説明する。以下の実施の形態は、例にすぎず、本発明の範囲内で種々の変更が可能である。
【００１０】
実施の形態１．
図１は、実施の形態１の通信システムを示す図である。通信システムは、携帯装置１００、電気自動車１０が有する車載装置、及び決済情報サーバ３００を含む。図１では、電気自動車１０が有する車載装置の図示が省略されている。
携帯装置１００は、制御方法を実行する装置である。携帯装置１００は、ユーザが使用する装置である。例えば、携帯装置１００は、スマートフォンである。また、携帯装置１００は、タブレット装置でもよい。携帯装置１００と電気自動車１０が有する車載装置とは、ＵＳＢ（Ｕｎｉｖｅｒｓａｌ  Ｓｅｒｉａｌ  Ｂｕｓ）ケーブル、ＷｉＦｉ（登録商標）、又はＢｌｕｅｔｏｏｔｈ（登録商標）で接続する。
【００１１】
決済情報サーバ３００は、クレジットカード会社などが有するサーバである。電気自動車１０は、蓄電装置を有する。電気自動車１０は、給電設備４００で給電する。ここで、例えば、ユーザは、クレジットカードを用いて、電気エネルギーを購入する。これにより、給電設備４００は、購入情報を決済情報サーバ３００に送信する。そして、決済情報サーバ３００は、決済情報を生成する。携帯装置１００は、決済情報サーバ３００から決済情報を取得できる。
【００１２】
電気エネルギーが購入されたとき、ユーザは、レシート２０を給電設備４００で取得する。レシート２０は、領収書とも言う。携帯装置１００は、ＯＣＲ（Ｏｐｔｉｃａｌ  Ｃｈａｒａｃｔｅｒ  Ｒｅｃｏｇｎｉｔｉｏｎ）を用いて、レシート２０に記載されている決済情報を読み取ることができる。
【００１３】
次に、携帯装置１００が有するハードウェアについて説明する。
図２は、実施の形態１の携帯装置が有するハードウェアの構成を示す図である。携帯装置１００は、プロセッサ１０１、揮発性記憶装置１０２、不揮発性記憶装置１０３、及びカメラ１０４を有する。
【００１４】
プロセッサ１０１は、携帯装置１００全体を制御する。例えば、プロセッサ１０１は、ＣＰＵ（Ｃｅｎｔｒａｌ  Ｐｒｏｃｅｓｓｉｎｇ  Ｕｎｉｔ）、又はＦＰＧＡ（Ｆｉｅｌｄ  Ｐｒｏｇｒａｍｍａｂｌｅ  Ｇａｔｅ  Ａｒｒａｙ）などである。プロセッサ１０１は、マルチプロセッサでもよい。携帯装置１００は、処理回路によって実現されてもよく、又は、ソフトウェア、ファームウェア若しくはそれらの組み合わせによって実現されてもよい。なお、処理回路は、単一回路又は複合回路でもよい。
【００１５】
揮発性記憶装置１０２は、携帯装置１００の主記憶装置である。例えば、揮発性記憶装置１０２は、ＲＡＭ（Ｒａｎｄｏｍ  Ａｃｃｅｓｓ  Ｍｅｍｏｒｙ）である。不揮発性記憶装置１０３は、携帯装置１００の補助記憶装置である。例えば、不揮発性記憶装置１０３は、ＳＳＤ（Ｓｏｌｉｄ  Ｓｔａｔｅ  Ｄｒｉｖｅ）である。カメラ１０４は、レシート２０を撮像する。
また、電気自動車１０が有する車載装置及び決済情報サーバ３００は、携帯装置１００と同様に、プロセッサ、揮発性記憶装置、及び不揮発性記憶装置を有する。
【００１６】
次に、携帯装置１００及び電気自動車１０が有する車載装置について説明する。
図３は、実施の形態１の携帯装置及び車載装置の構成を示す機能ブロック図である。
携帯装置１００は、記憶部１１０、通信部１２０、制御部１３０、出力部１４０、及び読み取り部１５０を有する。
【００１７】
記憶部１１０は、揮発性記憶装置１０２又は不揮発性記憶装置１０３に確保した記憶領域として実現してもよい。
通信部１２０、制御部１３０、出力部１４０、及び読み取り部１５０の一部又は全部は、プロセッサ１０１によって実現してもよい。
【００１８】
通信部１２０、制御部１３０、出力部１４０、及び読み取り部１５０の一部又は全部は、プロセッサ１０１が実行するプログラムのモジュールとして実現してもよい。例えば、プロセッサ１０１が実行するプログラムは、制御プログラムとも言う。例えば、制御プログラムは、揮発性記憶装置１０２、不揮発性記憶装置１０３などの記録媒体に格納される。なお、制御プログラムは、家計簿アプリケーションソフトウェアと連携してもよい。
【００１９】
電気自動車１０は、充電測定センサ１１、蓄電装置１２、及び車載装置２００を有する。充電測定センサ１１は、蓄電装置１２の蓄電量を測定する。蓄電装置１２の蓄電量は、残蓄電量と表現してもよい。蓄電装置１２に蓄積されている電気エネルギーは、家庭内電力として使用することができる。
【００２０】
車載装置２００は、記憶部２１０、通信部２２０、取得部２３０、及び制御部２４０を有する。記憶部２１０は、車載装置２００が有する揮発性記憶装置又は不揮発性記憶装置に確保した記憶領域として実現してもよい。
【００２１】
通信部２２０、取得部２３０、及び制御部２４０の一部又は全部は、車載装置２００が有するプロセッサによって実現してもよい。通信部２２０、取得部２３０、及び制御部２４０の一部又は全部は、車載装置２００が有するプロセッサが実行するプログラムのモジュールとして実現してもよい。
【００２２】
まず、携帯装置１００が有する機能ブロックについて説明する。記憶部１１０が記憶する情報は、後で説明する。
通信部１２０は、車載装置２００と通信する。通信部１２０は、第１の蓄電量を含む電力量情報を車載装置２００から受信する。なお、第１の蓄電量は、蓄電装置１２に蓄積されている電気エネルギーの量である。
【００２３】
通信部１２０は、決済情報サーバ３００と通信する。通信部１２０は、決済金額を含む決済情報を決済情報サーバ３００から受信する。なお、決済金額は、蓄電装置１２に充電された電気エネルギーである充電電気の購入金額である。
【００２４】
ここで、記憶部１１０は、第２の蓄電量に対応する金額を記憶する。なお、第２の蓄電量は、蓄電装置１２に充電電気が蓄積される前に蓄電装置１２に蓄積されていた電気エネルギーの量である。
【００２５】
制御部１３０は、第２の蓄電量に対応する金額、決済金額、及び第１の蓄電量に基づいて、第１の金額を算出する。なお、第１の金額は、蓄電装置１２に充電電気を蓄積した後における蓄電装置１２に蓄電されている電気エネルギーの予め定められた電力量当たりの金額である。以下、第１の金額は、平均簿価と称する。
【００２６】
また、制御部１３０は、第２の蓄電量に対応する金額と決済金額との合計金額、消費量、及び第１の金額に基づいて、第２の金額を算出する。なお、消費量は、蓄電装置１２に蓄積されている電気エネルギーが消費された量である。第２の金額は、蓄電装置１２に蓄積されている電気エネルギーが消費された後の蓄電装置１２に蓄積されている電気エネルギーの量に対応する金額である。なお、第２の金額は、合計簿価と称する。
【００２７】
出力部１４０は、制御部１３０が算出した金額を出力する。すなわち、出力部１４０は、平均簿価と合計簿価の少なくとも１つ以上を出力する。例えば、出力部１４０は、平均簿価と合計簿価を携帯装置１００が有するディスプレイに出力する。また、例えば、出力部１４０は、平均簿価と合計簿価を音声出力する。また、例えば、出力部１４０は、平均簿価と合計簿価が印刷された紙媒体を出力する。
【００２８】
また、出力部１４０は、平均簿価と合計簿価を車載装置２００に出力してもよい。これにより、乗車しているユーザは、車載装置２００を介して、平均簿価と合計簿価を確認することができる。
【００２９】
読み取り部１５０は、カメラ１０４が撮像することで得られたレシート２０の画像の画像内容を読み取る。これにより、読み取り部１５０は、レシート２０に記載されている決済情報を読み取ることができる。
【００３０】
次に、車載装置２００が有する機能ブロックについて説明する。
記憶部２１０は、様々な情報を記憶する。例えば、記憶部２１０は、電気自動車１０のＩＤ（ｉｄｅｎｔｉｆｉｅｒ）を記憶する。また、例えば、記憶部２１０は、蓄電装置１２の蓄電量を記憶する。通信部２２０は、携帯装置１００と通信する。
【００３１】
取得部２３０は、充電測定センサ１１から蓄電量を取得する。また、取得部２３０は、電気自動車１０又は車載装置２００の位置情報をＧＰＳ（Ｇｌｏｂａｌ  Ｐｏｓｉｔｉｏｎｉｎｇ  Ｓｙｓｔｅｍ）から取得する。制御部２４０は、監視処理を行う。監視処理については、後で説明する。
【００３２】
ここで、携帯装置１００と車載装置２００とは、通信の安全性を高めるために、互いに認証を行う。認証処理について説明する。
図４は、実施の形態１の認証処理を示すシーケンス図である。
（ステップＳＴ１０１）携帯装置１００の通信部１２０は、車載装置２００に接続する。また、携帯装置１００が車載装置２００に接続する場合、携帯装置１００の通信部１２０は、携帯装置１００の識別情報を送信する。
【００３３】
（ステップＳＴ１０２）車載装置２００の通信部２２０は、接続を検出する。
（ステップＳＴ１０３）車載装置２００の通信部２２０は、携帯装置１００の識別情報に基づいて認証を行う。
（ステップＳＴ１０４）携帯装置１００の通信部１２０と車載装置２００の通信部２２０は、秘密鍵を交換する。
【００３４】
（ステップＳＴ１０５）車載装置２００の通信部２２０は、携帯装置１００に接続する。また、車載装置２００が携帯装置１００に接続する場合、車載装置２００の通信部２２０は、電気自動車１０のＩＤを送信する。
（ステップＳＴ１０６）携帯装置１００の通信部１２０は、電気自動車１０のＩＤに基づいて認証を行う。
このように、携帯装置１００と車載装置２００とは、互いに認証を行う。これにより、携帯装置１００と車載装置２００とは、安全な通信を行うことができる。
【００３５】
次に、車載装置２００が実行する処理について説明する。
図５は、実施の形態１の蓄電量の監視処理を示すフローチャートである。車載装置２００は、図５の処理を定期的に実行する。
（ステップＳ１１）取得部２３０は、充電測定センサ１１から蓄電量を取得する。制御部２４０は、蓄電量が増加したか否かを判定する。例えば、制御部２４０は、記憶部２１０に格納されている蓄電量と充電測定センサ１１から取得した蓄電量とを比較することで、蓄電量が増加したか否かを判定できる。なお、蓄電量が増加した場合は、蓄電装置１２が充電された場合である。
蓄電量が増加した場合、制御部２４０は、処理をステップＳ１２に進める。蓄電量が増加していない場合、制御部２４０は、処理をステップＳ１５に進める。
【００３６】
（ステップＳ１２）取得部２３０は、現在位置の位置情報をＧＰＳから取得する。すなわち、取得部２３０は、ユーザが電気エネルギーを購入した場所の位置情報をＧＰＳから取得する。例えば、当該場所とは、給電設備４００である。また、位置情報は、次のように表現してもよい。位置情報は、充電電気が購入された店舗の位置を示す。
（ステップＳ１３）取得部２３０は、蓄電装置１２が充電された時点の時間情報を生成する。時間情報は、次のように表現してもよい。時間情報は、充電電気が蓄電装置１２に充電された時間を示す。また、時間情報は、日にちの情報を含む。日にちは、次のように表現してもよい。日にちは、充電電気が蓄電装置１２に蓄積された蓄積日である。
【００３７】
（ステップＳ１４）制御部２４０は、ステップＳ１１で取得された蓄電量と位置情報と時間情報とを対応付けた電力量情報を生成する。制御部２４０は、電力量情報を記憶部２１０に格納する。
また、制御部２４０は、記憶部２１０に格納されている蓄電量と充電測定センサ１１から取得した蓄電量との差分を算出してもよい。差分は、充電量と称する。制御部２４０は、充電量を電力量情報に含めてもよい。充電量は、次のように表現してもよい。充電量は、充電電気の量である。
【００３８】
（ステップＳ１５）制御部２４０は、記憶部２１０に格納されている蓄電量をステップＳ１１で取得された蓄電量に更新する。
このように、車載装置２００は、蓄電量を常に監視する。そして、蓄電装置１２が充電された場合、車載装置２００は、電力量情報を生成する。
【００３９】
次に、携帯装置１００が実行する処理について説明する。
図６は、実施の形態１の平均簿価の算出処理を示すフローチャート（その１）である。携帯装置１００は、車載装置２００から電力量情報を受信する度に図６の処理を実行する。
（ステップＳ２１）通信部１２０は、電力量情報を車載装置２００から受信する。なお、電力量情報は、位置情報、時間情報、及び蓄電量を含む。
【００４０】
（ステップＳ２２）通信部１２０は、決済情報を決済情報サーバ３００から受信する。なお、決済情報は、店舗名、時間情報、及び決済金額を含む。時間情報は、日にちを含む。
また、決済情報の時間情報が示す日にちは、充電電気が購入された購入日でもよい。また、決済情報の店舗名は、充電電気が購入された店舗である第１の店舗の名称でもよい。
（ステップＳ２３）制御部１３０は、電力量情報の時間情報から日にちを特定する。特定した日にちは、蓄積日である。制御部１３０は、蓄積日に決済した情報が決済情報の中に存在するか否かを判定する。
ステップＳ２３の条件が満たされる場合、制御部１３０は、処理をステップＳ２４に進める。ステップＳ２３の条件が満たされない場合、制御部１３０は、処理をステップＳ３１に進める。
【００４１】
（ステップＳ２４）制御部１３０は、蓄積日に対応する決済情報の店舗名を取得する。
（ステップＳ２５）制御部１３０は、記憶部１１０が記憶している地図情報と電力量情報に含まれている位置情報とに基づいて、充電電気を販売した店舗の名称である店舗名を検出する。当該店舗名は、第２の店舗名とも言う。
また、制御部１３０は、クラウドサーバなどの外部装置に格納されている地図情報と燃料情報に含まれている位置情報とに基づいて、充電電気を販売した店舗の名称である店舗名を検出してもよい。
【００４２】
（ステップＳ２６）制御部１３０は、ステップＳ２４で取得した店舗名とステップＳ２５で検出した店舗名とが一致するか否かを判定する。
ステップＳ２６の条件が満たされる場合、制御部１３０は、処理をステップＳ２７に進める。ステップＳ２６の条件が満たされない場合、制御部１３０は、処理をステップＳ３１に進める。
（ステップＳ２７）制御部１３０は、式（１）を用いて平均簿価を算出する。
【００４３】
【数１】
0006851561.tif 000002
【００４４】
合計簿価については、後で説明する。なお、合計簿価の初期値は、０である。また、式（１）の合計簿価は、第２の蓄電量に対応する金額とも言う。
式（１）の決済金額は、決済情報に含まれている決済金額である。又は、後述するステップＳ３２で入力された決済金額である。式（１）の蓄電量は、電力量情報に含まれている蓄電量である。また、式（１）の蓄電量は、第１の蓄電量とも言う。また、合計簿価と決済金額との合計金額は、残合計と称する。
制御部１３０は、平均簿価を記憶部１１０に格納する。
【００４５】
このように、ステップＳ２３〜２７では、制御部１３０は、蓄積日と購入日が一致することを検出し、地図情報と位置情報とに基づいて、第２の店舗名を検出し、第２の店舗名と同じ名称ある第１の店舗で支払われた購入金額である決済金額、第２の蓄電量に対応する金額、及び第１の蓄電量に基づいて、平均簿価を算出する。
【００４６】
図７は、実施の形態１の平均簿価の算出処理を示すフローチャート（その２）である。
（ステップＳ３１）制御部１３０は、ユーザに問い合わせを行う。詳細には、制御部１３０は、平均簿価を算出できないため、ユーザが電気エネルギーを購入したときの決済金額の入力をユーザに促す。
【００４７】
（ステップＳ３２）制御部１３０は、決済金額が入力されたか否かを判定する。決済金額が入力された場合、制御部１３０は、処理をステップＳ２７に進める。決済金額が入力されなかった場合、制御部１３０は、処理を終了する。
【００４８】
図８は、実施の形態１の合計簿価の算出処理を示すシーケンス図である。また、携帯装置１００と車載装置２００は、図８の処理を定期的に実行する。
（ステップＳＴ１１１）車載装置２００の取得部２３０は、充電測定センサ１１から蓄電量を取得する。
（ステップＳＴ１１２）車載装置２００の通信部２２０は、携帯装置１００に蓄電量を送信する。
（ステップＳＴ１１３）携帯装置１００の制御部１３０は、式（２）を用いて、合計簿価を算出する。
【００４９】
【数２】
0006851561.tif 000003
【００５０】
制御部１３０は、ステップＳ２１で取得した電力量情報に含まれている蓄電量とステップＳＴ１１１で取得部２３０が取得した蓄電量との差分により、式（２）の消費量を算出できる。また、式（２）の合計簿価は、第２の金額とも言う。式（２）の合計簿価は、第２の蓄電量に対応する金額と考えてもよい。
式（２）の残合計は、ステップＳＴ１１３が実行される前にステップＳ２７で算出された残合計である。式（２）の平均簿価は、ステップＳＴ１１３が実行される前にステップＳ２７で算出された平均簿価である。
【００５１】
制御部１３０は、合計簿価を記憶部１１０に格納する。記憶部１１０に格納された合計簿価は、ステップＳＴ１１３の後に、ステップＳ２７が実行されるときに使用される。
【００５２】
次に、携帯装置１００のディスプレイに平均簿価と合計簿価が表示される場合を説明する。
図９（Ａ），（Ｂ）は、実施の形態１の表示内容の具体例を示す図である。出力部１４０は、記憶部１１０に格納されている平均簿価と合計簿価を携帯装置１００のディスプレイに出力する。図９（Ａ）は、携帯装置１００のディスプレイに平均簿価と合計簿価が表示されている状態を示している。このように、ユーザは、いつでも、携帯装置１００を介して、平均簿価と合計簿価を確認することができる。
【００５３】
また、複数の車のそれぞれに対応する平均簿価と合計簿価が記憶部１１０に格納されている場合、携帯装置１００は、複数の車のそれぞれに対応する平均簿価と合計簿価をディスプレイに表示することができる。
【００５４】
図９（Ｂ）は、日にち毎に、電気エネルギーの使用量に対する金額を携帯装置１００のディスプレイに表示した状態を示している。なお、日にち毎の合計簿価が算出されることで、携帯装置１００は、日にち毎の電気エネルギーの使用量に対する金額を表示できる。
ここで、例えば、電気自動車１０が営業のために使用される車である場合、携帯装置１００は、平均簿価と合計簿価を記憶することで、燃料費を管理できる。ユーザは、燃料費に基づいて効率的な電気自動車１０の運用を考えることができる。
【００５５】
また、例えば、複数の人が電気自動車１０に乗って旅行に出かけた場合、複数の人は、携帯装置１００が表示する平均簿価と合計簿価を見ることで、燃料費を認識することができる。
【００５６】
実施の形態１によれば、携帯装置１００は、平均簿価を算出する。ここで、蓄電装置１２に蓄積されている電気エネルギーの価値は、平均簿価と考えてもよい。よって、携帯装置１００は、蓄電装置１２に蓄積されている電気エネルギーの価値を算出できる。
また、携帯装置１００は、合計簿価を算出する。蓄電装置１２に蓄積されている電気エネルギーの価値は、合計簿価と考えてもよい。よって、携帯装置１００は、蓄電装置１２に蓄積されている電気エネルギーの価値を算出できる。
【００５７】
実施の形態１の変形例（その１）．
実施の形態１の変形例（その１）では、携帯装置１００がレシート２０を用いて平均簿価を算出する場合を説明する。
通信部１２０は、電力量情報を車載装置２００から受信する。読み取り部１５０は、決済金額が記載されているレシート２０の内容を読み取る。例えば、レシート２０に記載されている決済情報は、店舗名、決済日時、決済金額などである。
制御部１３０は、式（１）を用いて平均簿価を算出する。なお、式（１）の決済金額は、読み取り部１５０がレシート２０から読み取った金額である。制御部１３０は、平均簿価を記憶部１１０に格納する。
このように、携帯装置１００は、レシート２０を用いて平均簿価を算出できる。
【００５８】
実施の形態１の変形例（その２）．
ステップＳ２２では、携帯装置１００が決済情報を取得する場合を説明した。ここで、電気エネルギーが購入されたときの情報が決済情報に含まれていないため、平均簿価が算出できない場合がある。例えば、蓄積日に対応する時間情報が決済情報に含まれていないため、平均簿価が算出できない。また、例えば、決済情報の店舗名が不明、又は決済情報の店舗名が給電設備として推測できない名称であるため、ステップＳ２６では、Ｎｏが判定される。そして、ステップＳ２６でＮｏが判定されるため、平均簿価が算出できない。このような場合でも、携帯装置１００が平均簿価を算出できる場合を説明する。
【００５９】
図１０は、実施の形態１の変形例の平均簿価の算出処理を示すフローチャートである。図１０の処理は、ステップＳ２３でＮｏの場合、又はステップＳ２６でＮｏの場合に実行される。
また、ステップＳ２１で取得される電力量情報には、充電量が含まれているものとする。
（ステップＳ４１）制御部１３０は、電力量情報に含まれている時間情報に基づいて、電気エネルギーが購入されたときの電気単価をネットワークから検出する。なお、例えば、電気単価とは、１ｋＷｈ当たりの金額である。
【００６０】
（ステップＳ４２）制御部１３０は、電気単価と充電量に基づいて決済金額を算出する。制御部１３０は、処理をステップＳ２７に進める。
このように、制御部１３０は、通信部１２０が受信した決済情報に、購入日又は第１の店舗の名称が含まれていない場合、決済金額を算出できる。
【００６１】
実施の形態１の変形例（その３）．
ユーザは、定額制のサービスを利用して蓄電装置１２を充電することができる。例えば、ユーザは、予め決められた金額を支払うことで、一ヶ月間、何回でも蓄電装置１２を充電することができる。ユーザが定額制のサービスを利用する場合、携帯装置１００は、決済金額を０とする。
【００６２】
ユーザが定額制のサービスを利用している場合に携帯装置１００が実行する処理について説明する。
図１１は、実施の形態１の変形例の平均簿価の算出処理を示すフローチャート（その１）である。図１１の処理では、ステップＳ２３ａ，２６ａが実行される点が、図６の処理と異なる。そのため、図１１では、ステップＳ２３ａ，２６ａを説明する。図１１における他のステップについては、図６のステップ番号と同じ番号を付することによって、処理の説明を省略する。
【００６３】
（ステップＳ２３ａ）制御部１３０は、電力量情報の時間情報から日にちを特定する。特定した日にちは、蓄積日である。制御部１３０は、蓄積日に決済した情報が決済情報の中に存在するか否かを判定する。
ステップＳ２３ａの条件が満たされる場合、制御部１３０は、処理をステップＳ２４に進める。ステップＳ２３ａの条件が満たされない場合、制御部１３０は、処理をステップＳ５１に進める。
【００６４】
（ステップＳ２６ａ）制御部１３０は、ステップＳ２４で取得した店舗名とステップＳ２５で検出した店舗名とが一致するか否かを判定する。
ステップＳ２６ａの条件が満たされる場合、制御部１３０は、処理をステップＳ２７に進める。ステップＳ２６ａの条件が満たされない場合、制御部１３０は、処理をステップＳ５４に進める。
【００６５】
図１２は、実施の形態１の変形例の平均簿価の算出処理を示すフローチャート（その２）である。
（ステップＳ５１）制御部１３０は、記憶部１１０が記憶している地図情報と電力量情報に含まれている位置情報とに基づいて、充電電気を販売した店舗を検出する。当該店舗は、第３の店舗とも言う。
また、制御部１３０は、クラウドサーバなどの外部装置に格納されている地図情報と電力量情報に含まれている位置情報とに基づいて、当該店舗を検出してもよい。
【００６６】
（ステップＳ５２）制御部１３０は、ステップＳ５１で検出した店舗が定額制のサービスを受けられる契約をしている店舗であるか否かを判定する。
ステップＳ５２の条件が満たされる場合、制御部１３０は、処理をステップＳ５３に進める。ステップＳ５２の条件が満たされない場合、制御部１３０は、処理をステップＳ５４に進める。
【００６７】
（ステップＳ５３）制御部１３０は、決済金額に０（ゼロ）を設定する。そして、制御部１３０は、処理をステップＳ２７に進める。
（ステップＳ５４）制御部１３０は、ユーザに問い合わせを行う。詳細には、制御部１３０は、平均簿価を算出できないため、ユーザが電気エネルギーを購入したときの決済金額の入力をユーザに促す。
【００６８】
（ステップＳ５５）制御部１３０は、決済金額が入力されたか否かを判定する。決済金額が入力された場合、制御部１３０は、処理をステップＳ２７に進める。決済金額が入力されなかった場合、制御部１３０は、処理を終了する。
このように、携帯装置１００は、決済金額に０を設定することで、平均簿価が低くなる。携帯装置１００は、当該平均簿価をディスプレイに表示する。これにより、携帯装置１００は、家庭内電力よりも蓄電装置１２に蓄積されている電気エネルギーを使用する方が得であることをユーザに提示できる。
【００６９】
実施の形態２．
次に、実施の形態２を説明する。実施の形態２は、実施の形態１と相違する事項を主に説明し、実施の形態１と共通する事項の説明を省略する。実施の形態２は、図３，８，９を参照する。
実施の形態１では、電気自動車１０が給電設備４００で給電する場合を説明した。実施の形態２では、電気自動車１０が電力網を介して給電する場合を説明する。
【００７０】
図１３は、実施の形態２の通信システムを示す図である。通信システムは、携帯装置１００、電気自動車１０が有する車載装置２００、及び制御装置６００を含む。
電気自動車１０は、電力網５００を介して給電する。すなわち、電気自動車１０は、家庭内コンセントから給電する。
制御装置６００は、家庭内の電力制御を行う装置である。制御装置６００は、スマートメータ７００から電力単価を受信する。
ここで、ステップＳ１４で生成される電力量情報には、補充充電量が含まれているものとする。
【００７１】
図１４は、実施の形態２の平均簿価の算出処理を示すフローチャートである。
（ステップＳ６１）通信部１２０は、電力量情報を車載装置２００から受信する。なお、電力量情報は、位置情報、時間情報、蓄電量、及び充電量を含む。
（ステップＳ６２）通信部１２０は、電力網５００を介して供給される電力の電力単価を制御装置６００から受信する。
【００７２】
（ステップＳ６３）制御部１３０は、電力網５００を介して、給電したか否かを判定する。
ステップＳ６３の条件が満たされる場合、制御部１３０は、処理をステップＳ６４に進める。ステップＳ６３の条件が満たされない場合、制御部１３０は、処理を終了する。
（ステップＳ６４）制御部１３０は、式（３）を用いて平均簿価を算出する。
【００７３】
【数３】
0006851561.tif 000004
【００７４】
合計簿価の初期値は、０である。充電量と電力単価とを乗算した金額は、決済金額ともいう。式（１）の蓄電量は、電力量情報に含まれている蓄電量である。また、式（１）の蓄電量は、第１の蓄電量とも言う。また、充電量と電力単価とを乗算した金額と合計簿価との合計金額は、残合計である。
【００７５】
実施の形態２によれば、電気自動車１０が電力網５００を介して給電した場合でも、携帯装置１００は、平均簿価を算出できる。ここで、蓄電装置１２に蓄積されている電気エネルギーの価値は、平均簿価と考えてもよい。よって、携帯装置１００は、蓄電装置１２に蓄積されている電気エネルギーの価値を算出できる。
【００７６】
実施の形態３．
次に、実施の形態３を説明する。実施の形態３は、実施の形態１と相違する事項を主に説明し、実施の形態１と共通する事項の説明を省略する。実施の形態３は、図２〜５を参照する。
実施の形態３では、車載装置２００が平均簿価及び合計簿価を算出する場合を説明する。
【００７７】
図１５は、実施の形態３の通信システムを示す図である。通信システムは、電気自動車１０が有する車載装置２００及び決済情報サーバ３００を含む。通信システムには、制御装置６００が含まれてもよい。制御装置６００は、スマートメータ７００から電力単価を受信する。
例えば、ユーザは、クレジットカードを用いて、電気エネルギーを購入する。これにより、給電設備４００は、購入情報を決済情報サーバ３００に送信する。そして、決済情報サーバ３００は、決済情報を生成する。車載装置２００は、決済情報サーバ３００から決済情報を取得できる。
また、車載装置２００は、ＯＣＲを用いて、レシート２０に記載されている決済情報を読み取ることができる。
【００７８】
図１６は、実施の形態３の車載装置の構成を示す機能ブロック図である。車載装置２００は、記憶部２１０、通信部２２０、取得部２３０、制御部２４０、出力部２５０、及び読み取り部２６０を有する。図３に示される構成と同じ図１６の構成は、図３に示される符号と同じ符号を付している。
記憶部２１０は、車載装置２００が有する揮発性記憶装置又は不揮発性記憶装置に確保した記憶領域として実現してもよい。
【００７９】
通信部２２０、取得部２３０、制御部２４０、出力部２５０、及び読み取り部２６０の一部又は全部は、車載装置２００が有するプロセッサによって実現してもよい。通信部２２０、取得部２３０、制御部２４０、出力部２５０、及び読み取り部２６０の一部又は全部は、車載装置２００が有するプロセッサが実行するプログラムのモジュールとして実現してもよい。例えば、車載装置２００が有するプロセッサが実行するプログラムは、制御プログラムとも言う。例えば、制御プログラムは、車載装置２００が有する揮発性記憶装置、不揮発性記憶装置などの記録媒体に格納される。
【００８０】
記憶部２１０は、様々な情報を記憶する。例えば、記憶部２１０は、蓄電装置１２の蓄電量を記憶する。
通信部２２０は、決済情報サーバ３００と通信する。通信部２２０は、決済金額を含む決済情報を決済情報サーバ３００から受信する。なお、決済金額は、蓄電装置１２に充電された電気エネルギーである充電電気の購入金額である。
【００８１】
取得部２３０は、充電測定センサ１１から蓄電量を取得する。また、取得部２３０は、電気自動車１０又は車載装置２００の位置情報をＧＰＳから取得する。
ここで、記憶部２１０は、第１の蓄電量を含む電力量情報を記憶する。なお、第１の蓄電量は、蓄電装置１２に蓄積されている電気エネルギーの量である。また、記憶部２１０は、第２の蓄電量に対応する金額を記憶する。なお、第２の蓄電量は、蓄電装置１２に充電電気が蓄積される前に蓄電装置１２に蓄積されていた電気エネルギーの量である。
【００８２】
制御部２４０は、監視処理を行う。制御部２４０は、第２の蓄電量に対応する金額、決済金額、及び第１の蓄電量に基づいて、第１の金額を算出する。なお、第１の金額は、蓄電装置１２に充電電気を蓄積した後における蓄電装置１２に蓄電されている電気エネルギーの予め定められた電力量当たりの金額である。第１の金額は、平均簿価である。また、制御部２４０は、合計簿価を算出する。
【００８３】
出力部２５０は、平均簿価と合計簿価の少なくとも１つ以上を出力する。例えば、出力部２５０は、平均簿価と合計簿価を車載装置２００が有するディスプレイに出力する。また、例えば、出力部２５０は、平均簿価と合計簿価を音声出力する。また、例えば、出力部２５０は、平均簿価と合計簿価が印刷された紙媒体を出力する。
【００８４】
読み取り部２６０は、車載装置２００が有するカメラが撮像することで得られたレシート２０の画像の画像内容を読み取る。これにより、読み取り部２６０は、レシート２０に記載されている決済情報を読み取ることができる。
【００８５】
次に、車載装置２００が実行する処理について説明する。
図１７は、実施の形態３の平均簿価の算出処理を示すフローチャート（その１）である。車載装置２００は、定期的に図１７の処理を実行する。
（ステップＳ７１）制御部２４０は、電力量情報を記憶部２１０から取得する。なお、電力量情報は、位置情報、時間情報、及び蓄電量を含む。
【００８６】
（ステップＳ７２）通信部２２０は、決済情報を決済情報サーバ３００から受信する。なお、決済情報は、店舗名、時間情報、及び決済金額を含む。時間情報は、日にちを含む。
また、決済情報の時間情報が示す日にちは、充電電気が購入された購入日でもよい。また、決済情報の店舗名は、充電電気が購入された店舗である第１の店舗の名称でもよい。
【００８７】
（ステップＳ７３）制御部２４０は、電力量情報の時間情報から日にちを特定する。特定した日にちは、蓄積日である。制御部２４０は、蓄積日に決済した情報が決済情報の中に存在するか否かを判定する。
ステップＳ７３の条件が満たされる場合、制御部２４０は、処理をステップＳ７４に進める。ステップＳ７３の条件が満たされない場合、制御部２４０は、処理をステップＳ８１に進める。
【００８８】
（ステップＳ７４）制御部２４０は、蓄積日に対応する決済情報の店舗名を取得する。
（ステップＳ７５）制御部２４０は、記憶部２１０が記憶している地図情報と電力量情報に含まれている位置情報とに基づいて、充電電気を販売した店舗の名称である店舗名を検出する。当該店舗名は、第２の店舗名とも言う。
また、制御部２４０は、クラウドサーバなどの外部装置に格納されている地図情報と燃料情報に含まれている位置情報とに基づいて、充電電気を販売した店舗の名称である店舗名を検出してもよい。
【００８９】
（ステップＳ７６）制御部２４０は、ステップＳ７４で取得した店舗名とステップＳ７５で検出した店舗名とが一致するか否かを判定する。
ステップＳ７６の条件が満たされる場合、制御部２４０は、処理をステップＳ７７に進める。ステップＳ７６の条件が満たされない場合、制御部２４０は、処理をステップＳ８１に進める。
【００９０】
（ステップＳ７７）制御部２４０は、式（１）を用いて平均簿価を算出する。
なお、合計簿価の初期値は、０である。また、式（１）の合計簿価は、第２の蓄電量に対応する金額とも言う。
式（１）の決済金額は、決済情報に含まれている決済金額である。又は、後述するステップＳ８２で入力された決済金額である。式（１）の蓄電量は、電力量情報に含まれている蓄電量である。また、式（１）の蓄電量は、第１の蓄電量とも言う。また、合計簿価と決済金額との合計金額は、残合計である。
制御部２４０は、平均簿価を記憶部２１０に格納する。
【００９１】
このように、ステップＳ７３〜７７では、制御部２４０は、蓄積日と購入日が一致することを検出し、地図情報と位置情報とに基づいて、第２の店舗名を検出し、第２の店舗名と同じ名称ある第１の店舗で支払われた購入金額である決済金額、第２の蓄電量に対応する金額、及び第１の蓄電量に基づいて、平均簿価を算出する。
【００９２】
図１８は、実施の形態３の平均簿価の算出処理を示すフローチャート（その２）である。
（ステップＳ８１）制御部２４０は、ユーザに問い合わせを行う。詳細には、制御部２４０は、平均簿価を算出できないため、ユーザが電気エネルギーを購入したときの決済金額の入力をユーザに促す。
（ステップＳ８２）制御部２４０は、決済金額が入力されたか否かを判定する。決済金額が入力された場合、制御部２４０は、処理をステップＳ７７に進める。決済金額が入力されなかった場合、制御部２４０は、処理を終了する。
【００９３】
図１９は、実施の形態３の合計簿価の算出処理を示すフローチャートである。車載装置２００は、図１９の処理を定期的に実行する。
（ステップＳ９１）取得部２３０は、充電測定センサ１１から蓄電量を取得する。
（ステップＳ９２）制御部２４０は、式（２）を用いて、合計簿価を算出する。
また、制御部２４０は、ステップＳ７１で取得した電力量情報に含まれている蓄電量とステップＳ９１で取得部２３０が取得した蓄電量との差分により、式（２）の消費量を算出できる。
制御部２４０は、合計簿価を記憶部２１０に格納する。記憶部２１０に格納された合計簿価は、ステップＳ９２の後に、ステップＳ７７が実行されるときに使用される。
【００９４】
次に、車載装置２００のディスプレイに平均簿価と合計簿価が表示される場合を説明する。
図２０は、実施の形態３の表示内容の具体例を示す図である。出力部２５０は、記憶部２１０に格納されている平均簿価と合計簿価を車載装置２００のディスプレイに出力する。図２０は、車載装置２００のディスプレイに平均簿価と合計簿価が表示されている状態を示している。また、車載装置２００は、個人認証を行った後、ディスプレイに平均簿価と合計簿価を表示させてもよい。
【００９５】
このように、車載装置２００は、実施の形態１の携帯装置１００と同様の処理を実行できる。実施の形態３によれば、車載装置２００は、平均簿価を算出する。ここで、蓄電装置１２に蓄積されている電気エネルギーの価値は、平均簿価と考えてもよい。よって、車載装置２００は、蓄電装置１２に蓄積されている電気エネルギーの価値を算出できる。
【００９６】
また、車載装置２００は、合計簿価を算出する。蓄電装置１２に蓄積されている電気エネルギーの価値は、合計簿価と考えてもよい。よって、車載装置２００は、蓄電装置１２に蓄積されている電気エネルギーの価値を算出できる。
【００９７】
また、車載装置２００は、レシート２０を用いて平均簿価を算出してもよい。詳細に処理を説明する。読み取り部２６０は、レシート２０に記載されている決済情報を読み取る。制御部２４０は、式（１）を用いて平均簿価を算出する。なお、式（１）の決済金額は、レシート２０に記載されている決済金額である。制御部２４０は、平均簿価を記憶部２１０に格納する。
このように、車載装置２００は、レシート２０を用いて平均簿価を算出できる。
【００９８】
ここで、電気エネルギーが購入されたときの情報が決済情報に含まれていないため、平均簿価が算出できない場合がある。例えば、蓄積日に対応する時間情報が決済情報に含まれていないため、平均簿価を算出することができない。また、例えば、決済情報の店舗名が不明、又は決済情報の店舗名が給電設備として推測できない名称であるため、ステップＳ７６では、Ｎｏが判定される。そして、ステップＳ７６でＮｏが判定されるため、平均簿価が算出できない。このような場合でも、車載装置２００が平均簿価を算出できる場合を説明する。車載装置２００は、ステップＳ７３でＮｏの場合、又はステップＳ７６でＮｏの場合、以降の処理を実行する。制御部２４０は、電力量情報に含まれている時間情報に基づいて、電気エネルギーを購入したときの電気単価をネットワークから検出する。制御部２４０は、電気単価と充電量に基づいて決済金額を算出する。そして、制御部２４０は、決済金額を用いて平均簿価を算出する。このように、車載装置２００は、携帯装置１００と同様の処理を実行できる。
【００９９】
また、制御部２４０は、定額制のサービスを契約している店舗で給電を行った場合、決済金額に０を設定する。詳細な処理は、第１の実施の形態で説明した通りである。そのため、制御部２４０が実行する処理の説明は、省略する。
【０１００】
ここで、制御装置６００は、蓄電量、平均簿価、及び電力単価に基づいて、家庭に供給する電力の供給方法を制御できる。詳細には、制御装置６００は、家庭内電力と蓄電装置１２に蓄積されている電気エネルギーとのどちらを優先的に使用するかを、蓄電量、平均簿価、及び電力単価に基づいて、決定する。制御装置６００は、決定に基づいて、電力の供給方法を制御する。制御装置６００は、決定する処理を定期的に実行することで、昼と夜の電力の供給方法を変えることができる。また、例えば、制御装置６００は、蓄電装置１２に最低量を設定することができる。平均簿価が電力単価よりも低い場合、制御装置６００は、蓄電装置１２に蓄積している電気エネルギーを家庭に供給してもよい。そして、制御装置６００は、蓄電量が最低量である場合、電気エネルギーの供給を止める。また、平均簿価が電力単価よりも高い場合、制御装置６００は、電力網を介して電気自動車１０に給電させる。このように、制御装置６００は、電力の提供方法を制御できる。
【０１０１】
実施の形態４．
次に、実施の形態４を説明する。実施の形態４は、実施の形態３と相違する事項を主に説明し、実施の形態４と共通する事項の説明を省略する。実施の形態４は、図５，１６，１９，２０を参照する。
実施の形態３では、電気自動車１０が給電設備４００で給電する場合を説明した。実施の形態４では、電気自動車１０が電力網を介して給電する場合を説明する。
【０１０２】
図２１は、実施の形態４の通信システムを示す図である。通信システムは、電気自動車１０が有する車載装置２００及び制御装置６００を含む。
電気自動車１０は、電力網５００を介して給電する。すなわち、電気自動車１０は、家庭内コンセントから給電する。
【０１０３】
制御装置６００は、スマートメータ７００から電力単価を受信する。
ここで、ステップＳ１４で生成される電力量情報には、補充充電量が含まれているものとする。
【０１０４】
図２２は、実施の形態４の平均簿価の算出処理を示すフローチャートである。
（ステップＳ１０１）制御部２４０は、電力量情報を記憶部２１０から取得する。なお、電力量情報は、位置情報、時間情報、蓄電量、及び補充充電量を含む。
（ステップＳ１０２）通信部２２０は、電力網５００を介して供給される電力の電力単価を制御装置６００から受信する。
【０１０５】
（ステップＳ１０３）制御部２４０は、電力網５００を介して、給電したか否かを判定する。
ステップＳ１０３の条件が満たされる場合、制御部２４０は、処理をステップＳ１０４に進める。ステップＳ１０３の条件が満たされない場合、制御部２４０は、処理を終了する。
（ステップＳ１０４）制御部２４０は、式（３）を用いて平均簿価を算出する。
【０１０６】
実施の形態４によれば、電気自動車１０が電力網５００を介して給電した場合でも、車載装置２００は、平均簿価を算出できる。ここで、蓄電装置１２に蓄積されている電気エネルギーの価値は、平均簿価と考えてもよい。よって、車載装置２００は、蓄電装置１２に蓄積されている電気エネルギーの価値を算出できる。
【０１０７】
実施の形態５．
実施の形態５では、蓄電装置８００の電気エネルギーの価値を算出する場合を説明する。
図２３は、実施の形態５の通信システムを示す図である。通信システムは、制御装置６００及び蓄電装置８００を含む。
蓄電装置８００は、家庭に供給する電気エネルギーが蓄積されている装置である。蓄電装置８００は、電力網５００を介して給電する。すなわち、蓄電装置８００は、家庭内コンセントから給電する。充電測定センサ８０１は、蓄電装置８００の蓄電量を測定する。
【０１０８】
制御装置６００は、家庭内の電力制御を行う装置である。制御装置６００は、スマートメータ７００から電力単価を受信する。また、制御装置６００は、充電測定センサ８０１から蓄電量を受信できる。
【０１０９】
図２４は、実施の形態５の制御装置の構成を示す機能ブロック図である。
制御装置６００は、記憶部６１０、通信部６２０、取得部６３０、制御部６４０、及び出力部６５０を有する。
記憶部６１０は、制御装置６００が有する揮発性記憶装置又は不揮発性記憶装置に確保した記憶領域として実現してもよい。
【０１１０】
通信部６２０、取得部６３０、制御部６４０、及び出力部６５０の一部又は全部は、制御装置６００が有するプロセッサによって実現してもよい。通信部６２０、取得部６３０、制御部６４０、及び出力部６５０の一部又は全部は、制御装置６００が有するプロセッサが実行するプログラムのモジュールとして実現してもよい。例えば、制御装置６００が有するプロセッサが実行するプログラムは、制御プログラムとも言う。例えば、制御プログラムは、制御装置６００が有する揮発性記憶装置、不揮発性記憶装置などの記録媒体に格納される。
【０１１１】
記憶部６１０は、様々な情報を記憶する。例えば、記憶部６１０は、蓄電装置８００の蓄電量を記憶する。
通信部６２０は、スマートメータ７００から電力単価を受信する。取得部６３０は、充電測定センサ８０１から蓄電量を受信する。
【０１１２】
制御部６４０は、監視処理を行う。制御部６４０は、式（３）を用いて、平均簿価を算出する。すなわち、制御部６４０は、第１の蓄電量、決済金額、及び第２の蓄電量に対応する金額に基づいて、第１の金額を算出する。なお、第１の蓄電量は、蓄電装置８００に蓄積されている電気エネルギーの量である。決済金額は、蓄電装置８００に充電された電気エネルギーである充電電気の購入金額である。また、式（３）の充電量と電力単価とを乗算した金額は、決済金額である。第２の蓄電量は、蓄電装置８００に充電電気が蓄積される前に蓄電装置８００に蓄積されていた電気エネルギーの量である。第１の金額は、蓄電装置８００に充電電気を蓄積した後における蓄電装置８００に蓄電されている電気エネルギーの予め定められた電力量当たりの金額である。また、第１の金額は、平均簿価である。
【０１１３】
また、制御部６４０は、式（２）を用いて、合計簿価を算出する。
出力部６５０は、平均簿価と合計簿価の少なくとも１つ以上を出力する。例えば、出力部６５０は、平均簿価と合計簿価を制御装置６００が有するディスプレイに出力する。また、例えば、出力部６５０は、平均簿価と合計簿価を音声出力する。また、例えば、出力部６５０は、平均簿価と合計簿価が印刷された紙媒体を出力する。
【０１１４】
図２５は、実施の形態５の蓄電量の監視処理を示すフローチャートである。制御装置６００は、図２５の処理を定期的に実行する。
（ステップＳ１１１）取得部６３０は、充電測定センサ１１から蓄電量を取得する。制御部６４０は、蓄電量が増加したか否かを判定する。例えば、制御部６４０は、記憶部６１０に格納されている蓄電量と充電測定センサ１１から取得した蓄電量とを比較することで、蓄電量が増加したか否かを判定できる。なお、蓄電量が増加した場合は、蓄電装置１２が充電した場合である。
蓄電量が増加した場合、制御部６４０は、処理をステップＳ１１２に進める。蓄電量が増加していない場合、制御部６４０は、処理をステップＳ１１３に進める。
【０１１５】
（ステップＳ１１２）制御部６４０は、記憶部６１０に格納されている蓄電量と充電測定センサ１１から取得した蓄電量との差分を算出する。差分は、充電量である。充電量は、充電電気の量である。制御部６４０は、ステップＳ１１１で取得された蓄電量と充電量とを対応付けた電力量情報を生成する。制御部６４０は、電力量情報を記憶部６１０に格納する。
（ステップＳ１１３）制御部６４０は、記憶部６１０に格納されている蓄電量をステップＳ１１１で取得された蓄電量に更新する。
このように、制御装置６００は、蓄電量を常に監視する。そして、蓄電装置８００が充電した場合、制御装置６００は、電力量情報を生成する。
【０１１６】
図２６は、実施の形態５の平均簿価の算出処理を示すフローチャートである。
（ステップＳ１２１）制御部６４０は、電力量情報を記憶部６１０から取得する。なお、電力量情報は、蓄電量及び充電量を含む。
（ステップＳ１２２）通信部６２０は、電力網５００を介して供給される電力の電力単価をスマートメータ７００から受信する。
【０１１７】
（ステップＳ１２３）制御部６４０は、電力網５００を介して、給電したか否かを判定する。
ステップＳ１２３の条件が満たされる場合、制御部６４０は、処理をステップＳ１２４に進める。ステップＳ１２３の条件が満たされない場合、制御部６４０は、処理を終了する。
（ステップＳ１２４）制御部６４０は、式（３）を用いて平均簿価を算出する。
【０１１８】
ここで、家庭内電力の定額制のサービスがある。定額制のサービスの利用により、蓄電装置８００が充電した場合、制御装置６００は、式（３）の電力単価と充電量とを乗算した値を０とする。
【０１１９】
図２７は、実施の形態５の合計簿価の算出処理を示すフローチャートである。制御装置６００は、図２７の処理を定期的に実行する。
（ステップＳ１３１）取得部６３０は、充電測定センサ１１から蓄電量を取得する。
（ステップＳ１３２）制御部６４０は、式（２）を用いて、合計簿価を算出する。
また、制御部６４０は、ステップＳ１２１で取得した電力量情報に含まれている蓄電量とステップＳ１３１で取得部６３０が取得した蓄電量との差分により、式（２）の消費量を算出できる。
制御部６４０は、合計簿価を記憶部６１０に格納する。記憶部６１０に格納された合計簿価は、ステップＳ１３２の後に、ステップＳ１２４が実行されるときに使用される。
【０１２０】
実施の形態５によれば、制御装置６００は、平均簿価を算出する。ここで、蓄電装置８００に蓄積されている電気エネルギーの価値は、平均簿価と考えてもよい。よって、制御装置６００は、蓄電装置８００に蓄積されている電気エネルギーの価値を算出できる。
【０１２１】
また、制御装置６００は、合計簿価を算出する。ここで、蓄電装置８００に蓄積されている電気エネルギーの価値は、合計簿価と考えてもよい。よって、制御装置６００は、蓄電装置８００に蓄積されている電気エネルギーの価値を算出できる。
【０１２２】
実施の形態５では、制御装置６００が実行する場合を説明した。制御装置６００に変えて、携帯装置１００が実行してもよい。すなわち、携帯装置１００は、蓄電装置８００に蓄積されている電気エネルギーの価値を算出してもよい。
【０１２３】
以上に説明した各実施の形態における特徴は、互いに適宜組み合わせることができる。
【符号の説明】
【０１２４】
１０  電気自動車、  １１  充電測定センサ、  １２  蓄電装置、  ２０  レシート、  １００  携帯装置、  １０１  プロセッサ、  １０２  揮発性記憶装置、  １０３  不揮発性記憶装置、  １０４  カメラ、  １１０  記憶部、  １２０  通信部、  １３０  制御部、  １４０  出力部、  １５０  読み取り部、  ２００  車載装置、  ２１０  記憶部、  ２２０  通信部、  ２３０  取得部、  ２４０  制御部、  ２５０  出力部、  ２６０  読み取り部、  ３００  決済情報サーバ、  ４００  給電設備、  ５００  電力網、  ６００  制御装置、  ６１０  記憶部、  ６２０  通信部、  ６３０  取得部、  ６４０  制御部、  ６５０  出力部、  ７００  スマートメータ、  ８００  蓄電装置、  ８０１  充電測定センサ。
【図１】
0006851561.tif 000005
【図２】
0006851561.tif 000006
【図３】
0006851561.tif 000007
【図４】
0006851561.tif 000008
【図５】
0006851561.tif 000009
【図６】
0006851561.tif 000010
【図７】
0006851561.tif 000011
【図８】
0006851561.tif 000012
【図９】
0006851561.tif 000013
【図１０】
0006851561.tif 000014
【図１１】
0006851561.tif 000015
【図１２】
0006851561.tif 000016
【図１３】
0006851561.tif 000017
【図１４】
0006851561.tif 000018
【図１５】
0006851561.tif 000019
【図１６】
0006851561.tif 000020
【図１７】
0006851561.tif 000021
【図１８】
0006851561.tif 000022
【図１９】
0006851561.tif 000023
【図２０】
0006851561.tif 000024
【図２１】
0006851561.tif 000025
【図２２】
0006851561.tif 000026
【図２３】
0006851561.tif 000027
【図２４】
0006851561.tif 000028
【図２５】
0006851561.tif 000029
【図２６】
0006851561.tif 000030
【図２７】
0006851561.tif 000031